(57)【特許請求の範囲】
【請求項１】
カーナビゲーションシステム本体と、前記カーナビゲーションシステム本体に接続された端末装置とからなる車載システムと、サービス提供地点の変動情報を保存するサーバとが所定のネットワークを介して接続されたカーナビゲーションシステムであって、
前記カーナビゲーションシステム本体は、
サービス提供地点の固定情報を保存する記憶手段と、
車の現在地または目的地を特定し、前記特定した現在地または目的地の周辺のサービス提供地点を前記固定情報から検索する第１の制御手段と、
前記検索したサービス提供地点の固定情報を前記端末装置に出力する手段と、
を備え、前記端末装置は、
前記カーナビゲーションシステム本体が検索したサービス提供地点の固定情報を表示する表示手段と、
前記表示されたサービス提供地点のうちから所望のサービス提供地点を指定する入力手段と、
前記指定されたサービス提供地点に係る固有情報に含まれるアドレスに基づいて、前記ネットワークを介してサーバにアクセスする手段と、
前記アクセスしたサーバに保存された変動情報を受信する手段と、
前記受信したサービス提供地点の変動情報を前記表示手段に表示する第２の制御手段と、
を備えていることを特徴とするカーナビゲーションシステム。
【請求項２】
カーナビゲーションシステム本体と、前記カーナビゲーションシステム本体に接続された端末装置とからなる車載システムと、サービス提供地点の変動情報を保存するサーバとが所定のネットワークを介して接続されたカーナビゲーションシステムであって、
前記カーナビゲーションシステム本体は、
サービス提供地点の固定情報を保存する記憶手段と、
車の現在地及び目的地を特定し、前記特定した現在地と目的地との間の走行ルート周辺のサービス提供地点を前記固定情報から検索する第１の制御手段と、
前記検索したサービス提供地点の固定情報を前記端末装置に出力する手段と、
を備え、前記端末装置は、
前記カーナビゲーションシステム本体が検索したサービス提供地点の固定情報を表示する表示手段と、
前記表示されたサービス提供地点のうちから所望のサービス提供地点を指定する入力手段と、
前記指定されたサービス提供地点に係る固有情報に含まれるアドレスに基づいて、前記ネットワークを介してサーバにアクセスする手段と、
前記アクセスしたサーバに保存された変動情報を受信する手段と、
前記受信したサービス提供地点の変動情報を前記表示手段に表示する第２の制御手段と、
を備えていることを特徴とするカーナビゲーションシステム。
【請求項３】
前記第１の制御手段が、現在地から前記検索したサービス提供地点までの所要時間を算出し、前記表示手段に前記固定情報とともに前記算出した所要時間を表示することを特徴とする請求項１又は請求項２に記載のカーナビゲーションシステム。
【請求項４】
前記サーバは、サービス提供地点に設置された更新可能なサーバであることを特徴とする請求項１〜３のいずれか１項に記載のカーナビゲーションシステム。
【請求項５】
前記サービス提供地点は、食事提供サービス地点であり、
前記入力手段は、所望の食事の種類を入力する手段であり、
前記第１の制御手段は、前記入力した食事の種類に係る食事提供サービス地点を前記固定情報から検索する手段であることを特徴とする請求項１〜４のいずれか１項に記載のカーナビゲーションシステム。
【請求項６】
前記変動情報は、サービス提供地点のメニューに関する情報を含み、
前記入力手段は、前記表示手段に表示された変動情報に係るサービス提供地点を決定すると共に、前記決定したサービス提供地点に係る変動情報に含まれるメニュー及び前記決定したサービス提供地点への到着時刻を指定する手段であり、
前記決定したサービス提供地点に係る変動情報を送信したサーバに、前記指定したメニュー及び到着時刻を送信する手段と、
前記指定したメニュー及び到着時刻を送信したサーバから、当該メニュー及び到着時刻に係る予約番号を受信する手段と、
前記受信した予約番号と前記到着時刻とを表示する手段と、
を備え、前記サーバは、前記端末装置からメニュー及び到着時刻を受信すると、予約番号を当該端末装置に送信する手段を備えていることを特徴とする請求項１〜５のいずれか１項に記載のカーナビゲーションシステム。
【請求項７】
カーナビゲーションシステムにサービス提供地点の固定情報を保存し、
前記カーナビゲーションシステムに接続した端末装置から検索地域を入力し、
前記保存した固定情報から、前記入力した検索地域に係るサービス提供地点を検索し、
前記検索したサービス提供地点の固定情報を前記端末装置に表示し、
前記検索したサービス提供地点から所望のサービス提供地点を特定して前記端末装置から前記特定したサービス提供地点を入力し、
前記保存した固定情報内のアドレスに基づき、前記特定したサービス提供地点のサーバに前記端末装置がアクセスし、
前記端末装置に前記サーバから受信した変動情報を表示し、
前記保存した固定情報及び前記サーバから受信した変動情報に基づいて、前記端末装置からサービス提供地点の予約を行うことを特徴とする提供サービスの予約方法。
【請求項８】
前記カーナビゲーションシステムを利用して現在地からサービス提供地点までの所要時間を固定情報とともに表示することを特徴とする請求項７に記載の提供サービスの予約方法。
【請求項９】
到着時刻及び前記変動情報内のメニューを指定して前記端末装置から提供サービスの予約を行う、請求項７又は８記載の提供サービスの予約方法。
【請求項１０】
現在地と予約したサービス提供地点との所要時間を算出して、到着時刻と予約時刻の誤差を算出する、請求項９記載の提供サービスの予約方法。
【請求項１１】
サービス提供地点の固定情報を保存する記憶手段と、車の現在地または目的地を特定し、前記特定した現在地または目的地の周辺のサービス提供地点を前記固定情報から検索する第１の制御手段と、前記検索したサービス提供地点の固定情報を前記端末装置に出力する手段とを備えているカーナビゲーションシステム本体と、前記カーナビゲーションシステム本体が検索したサービス提供地点の固定情報を表示する表示手段と、前記表示されたサービス提供地点のうちから所望のサービス提供地点を指定する入力手段と、前記指定されたサービス提供地点に係る固有情報に含まれるアドレスに基づいて、前記ネットワークを介してサーバにアクセスする手段と、前記アクセスしたサーバに保存された変動情報を受信する手段と、前記受信したサービス提供地点の変動情報を前記表示手段に表示する第２の制御手段とを備えている端末装置とからなる車載システムに、所定のネットワークを介して接続されたサーバであって、
サービス提供地点の変動情報を保存するデータベースと、
前記ネットワークを介してアクセスした端末装置に、前記データベースに保存された変動情報を送信する手段と、
を備えていることを特徴とするサーバ。
【請求項１２】
サービス提供地点の固定情報を保存する記憶手段と、車の現在地及び目的地を特定し、前記特定した現在地と目的地との間の走行ルート周辺のサービス提供地点を前記固定情報から検索する第１の制御手段と、前記検索したサービス提供地点の固定情報を前記端末装置に出力する手段とを備えているカーナビゲーションシステム本体と、前記カーナビゲーションシステム本体が検索したサービス提供地点の固定情報を表示する表示手段と、前記表示されたサービス提供地点のうちから所望のサービス提供地点を指定する入力手段と、前記指定されたサービス提供地点に係る固有情報に含まれるアドレスに基づいて、前記ネットワークを介してサーバにアクセスする手段と、前記アクセスしたサーバに保存された変動情報を受信する手段と、前記受信したサービス提供地点の変動情報を前記表示手段に表示する第２の制御手段とを備えている端末装置とからなる車載システムに、所定のネットワークを介して接続されたサーバであって、
サービス提供地点の変動情報を保存するデータベースと、
前記ネットワークを介してアクセスした端末装置に、前記データベースに保存された変動情報を送信する手段と、
を備えていることを特徴とするサーバ。
【請求項１３】
サービス提供地点の固定情報を保存する記憶手段と、車の現在地または目的地を特定し、前記特定した現在地または目的地の周辺のサービス提供地点を前記固定情報から検索する第１の制御手段と、前記検索したサービス提供地点の固定情報を前記端末装置に出力する手段とを備えているカーナビゲーションシステム本体と、前記カーナビゲーションシステム本体が検索したサービス提供地点の固定情報を表示する表示手段と、前記表示されたサービス提供地点のうちから所望のサービス提供地点を指定する入力手段と、前記指定されたサービス提供地点に係る固有情報に含まれるアドレスに基づいて、前記ネットワークを介してサーバにアクセスする手段と、前記アクセスしたサーバに保存された変動情報を受信する手段と、前記受信したサービス提供地点の変動情報を前記表示手段に表示する第２の制御手段とを備えている端末装置とからなる車載システムに、所定のネットワークを介して接続されたサーバに実行させるプログラムであって、
サービス提供地点の変動情報をデータベースに保存する手順と、
前記ネットワークを介してアクセスした端末装置に、前記データベースに保存された変動情報を送信する手順と、
をサーバに実行させるプログラム。
【請求項１４】
サービス提供地点の固定情報を保存する記憶手段と、車の現在地及び目的地を特定し、前記特定した現在地と目的地との間の走行ルート周辺のサービス提供地点を前記固定情報から検索する第１の制御手段と、前記検索したサービス提供地点の固定情報を前記端末装置に出力する手段とを備えているカーナビゲーションシステム本体と、前記カーナビゲーションシステム本体が検索したサービス提供地点の固定情報を表示する表示手段と、前記表示されたサービス提供地点のうちから所望のサービス提供地点を指定する入力手段と、前記指定されたサービス提供地点に係る固有情報に含まれるアドレスに基づいて、前記ネットワークを介してサーバにアクセスする手段と、前記アクセスしたサーバに保存された変動情報を受信する手段と、前記受信したサービス提供地点の変動情報を前記表示手段に表示する第２の制御手段とを備えている端末装置とからなる車載システムに、所定のネットワークを介して接続されたサーバに実行させるプログラムであって、
サービス提供地点の変動情報をデータベースに保存する手順と、
前記ネットワークを介してアクセスした端末装置に、前記データベースに保存された変動情報を送信する手順と、
をサーバに実行させるプログラム。
【発明の詳細な説明】
【０００１】
【発明が属する技術分野】
本発明は、不案内な土地において、食事提供サービスを受けることができる場所等の固定情報、メニューや価格等の変動情報、現在地から食事提供サービス地点までの所用時間を算出し、さらに、その中から食事提供サービスを受けることを希望する場合には、来店時刻、メニュー等を予約することができるカーナビゲーションシステム及び食事提供サービスの予約方法に関する。
【０００２】
【従来の技術】
車両及びその利用に関連する情報を入手する技術として、特開２００１−２１３６８号公報に記載されるものがある。この技術は、カーナビと携帯電話を利用し、駐車場の空き状況や混雑状況を把握しようとするものである。具体的には、この技術は、カーナビにより、車両の座標を計測し、ＣＤーＲＯＭからレストランの概略データを読み出し、携帯電話により、レストランを指定し、その指定したレストランの駐車場のリアルタイム映像を受信するものである。
【０００３】
【発明が解決しようとする課題】
前記技術においては、駐車場の状況把握をリアルタイムで行うことはできるが、その状況がわかったとしても、辿り着くまでの間に、駐車場が満車になることもある。そのため、逐次、カーナビを操作し、その上で映像データを受信し、駐車場の状況把握を行わなければならない。運転中の携帯電話の使用が禁止されていることからも、運転中にこのような操作を繰り返し行ったり、映像データを繰り見たりすることは、極めて危険である。
【０００４】
本発明の目的は、不案内な地域で、現在地又は目的地若しくは走行ルートの途中において、レストラン等のサービス提供地点を検索し、希望するサービス提供がある場合には、それを予約することができるカーナビゲーションシステム及び提供サービスの予約方法を提供することである。
本発明の他の目的は、現在地から希望するサービス提供地点までの所用時間を考慮して、それを予約することができるカーナビゲーションシステム及び提供サービスの予約方法を提供することである。
本発明のさらに他の目的は、時刻を指定してサービス提供の予約を行うに際して、現在地から希望するサービス提供地点までの所用時間までに車両が到着可能な否かを判定しながら、それを予約することができるカーナビゲーションシステム及び提供サービスの予約方法を提供することである。
【０００５】
【課題を解決するための手段】
本発明は、カーナビゲーションシステム本体と、前記カーナビゲーションシステム本体に接続された端末装置とからなる車載システムと、サービス提供地点の変動情報を保存するサーバとが所定のネットワークを介して接続されたカーナビゲーションシステムであって、前記カーナビゲーションシステム本体は、サービス提供地点の固定情報を保存する記憶手段と、車の現在地または目的地を特定し、前記特定した現在地または目的地の周辺のサービス提供地点を前記固定情報から検索する第１の制御手段と、前記検索したサービス提供地点の固定情報を前記端末装置に出力する手段とを備え、前記端末装置は、前記カーナビゲーションシステム本体が検索したサービス提供地点の固定情報を表示する表示手段と、前記表示されたサービス提供地点のうちから所望のサービス提供地点を指定する入力手段と、前記指定されたサービス提供地点に係る固有情報に含まれるアドレスに基づいて、前記ネットワークを介してサーバにアクセスする手段と、前記アクセスしたサーバに保存された変動情報を受信する手段と、前記受信したサービス提供地点の変動情報を前記表示手段に表示する第２の制御手段とを備えていることを特徴とするカーナビゲーションシステムである。
本発明は、カーナビゲーションシステム本体と、前記カーナビゲーションシステム本体に接続された端末装置とからなる車載システムと、サービス提供地点の変動情報を保存するサーバとが所定のネットワークを介して接続されたカーナビゲーションシステムであって、前記カーナビゲーションシステム本体は、サービス提供地点の固定情報を保存する記憶手段と、車の現在地及び目的地を特定し、前記特定した現在地と目的地との間の走行ルート周辺のサービス提供地点を前記固定情報から検索する第１の制御手段と、前記検索したサービス提供地点の固定情報を前記端末装置に出力する手段とを備え、前記端末装置は、前記カーナビゲーションシステム本体が検索したサービス提供地点の固定情報を表示する表示手段と、前記表示されたサービス提供地点のうちから所望のサービス提供地点を指定する入力手段と、前記指定されたサービス提供地点に係る固有情報に含まれるアドレスに基づいて、前記ネットワークを介してサーバにアクセスする手段と、前記アクセスしたサーバに保存された変動情報を受信する手段と、前記受信したサービス提供地点の変動情報を前記表示手段に表示する第２の制御手段とを備えていることを特徴とするカーナビゲーションシステムである。
本発明は、所定のネットワークを介して、サービス提供地点の変動情報を保存するサーバとの間で通信が可能なカーナビゲーションシステム本体であって、サービス提供地点の固定情報を保存する記憶手段と、車の現在地または目的地を特定し、前記特定した現在地または目的地の周辺のサービス提供地点を前記固定情報から検索する第１の制御手段と、前記検索したサービス提供地点の固定情報を表示する表示手段と、前記表示されたサービス提供地点のうちから所望のサービス提供地点を指定する入力手段と、前記指定されたサービス提供地点に係る固有情報に含まれるアドレスに基づいて、前記ネットワークを介してサーバにアクセスする手段と、前記アクセスしたサーバに保存された変動情報を受信する手段と、前記受信したサービス提供地点の変動情報を前記表示手段に表示する第２の制御手段とを備えていることを特徴とするカーナビゲーションシステム本体である。
本発明は、所定のネットワークを介して、サービス提供地点の変動情報を保存するサーバとの間で通信が可能なカーナビゲーションシステム本体であって、サービス提供地点の固定情報を保存する記憶手段と、車の現在地及び目的地を特定し、前記特定した現在地と目的地との間の走行ルート周辺のサービス提供地点を前記固定情報から検索する第１の制御手段と、前記検索したサービス提供地点の固定情報を表示する表示手段と、前記表示されたサービス提供地点のうちから所望のサービス提供地点を指定する入力手段と、前記指定されたサービス提供地点に係る固有情報に含まれるアドレスに基づいて、前記ネットワークを介してサーバにアクセスする手段と、前記アクセスしたサーバに保存された変動情報を受信する手段と、前記受信したサービス提供地点の変動情報を前記表示手段に表示する第２の制御手段とを備えていることを特徴とするカーナビゲーションシステム本体である。
【０００６】
かかる構成とすることにより、レジャーや業務において、不案内な土地に出掛けたときに、記憶手段に保存した地図情報と、カーナビゲーションシステムの本来の機能により、車両の現在位置を測定する。必要に応じて、使用者の希望する料理を指定し、記憶手段に保存した食事提供サービス地点の固定情報を元に、第１の制御手段が現在位置周辺で該当する食事提供サービス地点を検索する。検索結果は、表示手段が表示する。固定情報は、店名、連絡先、駐車場の有無、評価、ＵＲＬやドメイン名等のアドレスを含んでおり、これらの情報は変更されることが殆どない情報である。
【０００７】
使用者は、表示手段に表示した検索結果を見て、その中から、入力手段を利用して希望する食事提供サービス地点を選択する。食事提供サービス地点の変動情報は、メニュー、その特徴、価格を含んでおり、固定情報とは異なって季節等により変更される頻度が高い情報である。そして、第２の制御手段が、このような変動情報を表示する。使用者は、表示手段に表示したメニュー等を参照して、入力手段により希望するサービスを選択する。使用者は、同時に、入力手段により食事提供サービスを予約する。
【０００８】
これにより、不案内な土地においても、カーナビ本来の機能を利用して現在地周辺を限定し、固定情報から希望する食事提供サービス地点を検索することができ、さらに季節等により変更されることがある新鮮な変動情報を受信できる。このように固定情報にアドレスを含ませ、そのアドレスを利用して変動情報を取出すことにより、変更される頻度が高い情報も網羅できるので、使用者は、旅行を例にすると、計画倒れになることなく、確実に旬の味を楽しむことができる。さらに、食事提供サービス内容の選択と同時に、そのサービスについて来店時刻、メニュ−等の予約を行うことができるので、実際に到着してみると、休日であったとか、混雑して席が空くのを待つとかという「いらだち」もない。
【０００９】
また、現在地周辺でなく、目的地周辺又は走行ルート周辺を対象とすることができる。例えば、車での旅行中、「何時頃に食事にしよう」という提案がよくあるが、この場合、数十分後〜数時間後の未来において、サービス提供地点を予約することができる。カーナビ本来の機能を利用することにより、わずかに先の未来において車の位置をある程度予測することができる。その未来の位置において、サービス提供地点を検索し、サービス提供を選択及び予約することにより、車の到着時刻に合わせて、出来たての食事のサービスを受けることができる。
また、カーナビゲーションシステムの本来の機能と携帯端末の本来の機能を併用することにより、それぞれの既存の機能を利用し、カーナビゲーションシステムや携帯端末に大きな機能変更を求めることなく、サービス提供地点の予約を行うことができる。
【００１０】
また、請求項３の発明では、第１の制御手段が、現在地から検索したサービス提供地点までの所要時間を算出して、表示手段に固定情報とともに所要時間を表示する。カーナビ本来の機能を利用することにより、車での旅行中、「何時頃に食事にしよう」という要求に応じて、サービス提供地点までの所用時間を参照することができる。したがって、あの場所で、何時に、あのサービス提供地点で食事をするという予定を立てやすく、予約もできることから確実な予定も立てやすく、旅行中の時間を有効に利用することができる。
【００１３】
請求項４の発明では、サービス提供地点が更新可能なサーバを持っており、前記変動情報が前記サーバに保存されており、第２の制御手段が、固定情報の中のアドレスを利用してサーバにアクセスし、表示手段にサーバに関連するサイトを表示させる。
【００１４】
かかる構成とすることにより、変動情報は、食事提供サービス地点が自由に書き換え可能であり、サービスを希望する使用者に対して、新鮮な情報を提供することができる。
【００１５】
請求項７の発明は、カーナビゲーションシステムにサービス提供地点の固定情報を保存し、前記カーナビゲーションシステムに接続した端末装置から検索地域を入力し、前記保存した固定情報から、前記入力した検索地域に係るサービス提供地点を検索し、前記検索したサービス提供地点の固定情報を前記端末装置に表示し、前記検索したサービス提供地点から所望のサービス提供地点を特定して前記端末装置から前記特定したサービス提供地点を入力し、前記保存した固定情報内のアドレスに基づき、前記特定したサービス提供地点のサーバに前記端末装置がアクセスし、前記端末装置に前記サーバから受信した変動情報を表示し、前記保存した固定情報及び前記サーバから受信した変動情報に基づいて、前記端末装置からサービス提供地点の予約を行うことを特徴とする提供サービスの予約方法である。
【００１６】
レジャーや業務において、不案内な土地に出掛けたとき、カーナビゲーションシステムに接続した携帯端末から現在地、目的地、走行ルート等の検索地域を入力する。また、必要に応じて、使用者の希望する料理を指定する。その結果、携帯端末は、検索地域に基づき、地図情報の検索地域内に存在する食事提供サービス地点の固定情報を表示する。
【００１７】
使用者が、検索結果から希望する食事提供サービス地点を特定し、その食事提供サービス地点を入力すると、携帯端末は、固定情報内のアドレスに基づき、１つの食事提供サービス地点のサーバにアクセスする。サーバは、固定情報とは異なり、季節等により変更ある変動情報を保存している。携帯端末は、サーバから受信した変動情報を表示する。使用者は、固定情報と変動情報に基づき、希望する食事提供サービス地点の希望する食事提供サービスを予約する。
【００１８】
これにより、不案内な土地においても、カーナビ本来の機能を利用して検索地域を限定し、固定情報から希望する食事提供サービス地点を検索することができ、携帯端末の本来の機能を利用して季節等により変更されることがある変動情報については、サーバにアクセスすることにより受信できる。固定情報及び変動情報を別々に取出すことにより、変更される頻度が高い情報も網羅できるので、使用者は、旅行を例にすると、計画倒れになることなく、確実に旬の味を楽しむことができる。さらに、食事提供サービス内容の選択と同時に、そのサービスについて来店時刻、メニュー等の予約を行うことができるので、実際に到着してみると、休日であったとか、混雑して席が空くのを待つとかという「いらだち」もない。
【００１９】
請求項８の発明では、カーナビゲーションシステムを利用して現在地からサービス提供地点までの所要時間を固定情報とともに表示するので、あの場所で、何時に、あのサービス提供地点で食事をするという予定を立てやすく、予約もできることから確実な予定を立てやすく、旅行中の時間を有効に利用することができる。
【００２０】
請求項９の発明では、到着時刻及び変動情報内の料理メニュー指定して携帯端末から食事提供サービスの予約を行うので、一層、旅行中の時間を有効に利用することができる。
【００２１】
請求項１０の発明では、現在地と予約した食事提供サービス地点との所要時間を算出して、到着時刻と予約時刻の誤差を算出するので、例えば、予約した食事提供サービス地点に到着したとき１０分待ちとか、予約した食事提供サービス地点には到着できないとかを使用者が事前把握するので、より一層、旅行中の時間を有効に利用することができる。
【００２２】
【発明の実施の形態】
以下、図面を参照して本発明による食事提供サービス地点を予約するためのカーナビゲーションシステム、カーナビゲーションシステムを利用した食事提供サービス地点の予約方法を説明する。本発明の利用態様の一例を概説すると、ドライブ中等に車中から外食の予約やドライブスルー等の商品購入予約が可能になる場合があるので、車の現在地の抽出とその近傍の外食レストラン等の選出機能を有するカーナビと、カーナビと携帯電話を接続し、携帯電話から食事提供サービスの注文予約をすることに特徴がある。
【００２３】
図１は、本発明の利用例を示す概略図である。本発明を実施するため、車載側システム１０と複数の店舗群側システム２０とが、インターネット等のネットワーク１００を介して接続されている。
【００２４】
図２は、車載側システム１０の詳細図である。車載側システム１０は、例えば、携帯端末１０１とカーナビゲーションシステム１０２より構成されている。本実施形態において、携帯端末１０１は携帯電話であるが、ネットワーク１００を介して各種サーバにアクセスすることができる機能があれば、ＰＤＡ（パーソナルディジタルアシスタンツ）等の端末装置でもよい。
本実施形態では、市販されているメール機能付きの携帯電話１０１を別体で利用し、既存のカーナビゲーションシステム１０２にケーブルによって携帯電話１０１を接続しているが、カーナビゲーションシステム１０２自体に、携帯電話１０１の機能、例えば、希望するサービスを選択できる入力手段の機能、ネットワーク１００を介して、各種サーバにアクセスすることができる制御手段の機能、サーバから提供されるＷｅｂサイトを表示することができる表示手段の機能が内蔵されていてもよい。
【００２５】
また、カーナビゲーションシステム１０２は、各種ソフトウェアのデータベース１０３を保存することができるようになっている。そのため、カーナビゲーションシステム１０２は、図示しない記憶手段を備えている。さらに、カーナビゲーションシステム１０２は、基本的な機能として、衛星通信２００と接続されており、記憶手段に保存したデータベース１０３を元に車の現在地を抽出する機能を有する。
【００２６】
図３は、店舗群側システム２０の詳細図である。店舗群側システム２０は、食事提供サービス地点に設けられているサーバである。食事提供サービス地点とは、外食レストランやファーストフードのドライブスルーである。店舗群側システム２０は、それぞれ、処理装置２０１とメニュー等の情報のデータベース２０２を保有している。
処理装置２０１は情報処理装置であり、インターネット１００に接続されてカーナビゲーションシステム本体又は携帯電話１０１からの要求により店舗で扱っているメニュー等の情報を送信したり、カーナビゲーションシステム本体又は携帯電話１０１からの事前予約の受付を受信したりする機能を有する。
【００２７】
図４は、車載システム１０のデータベース１０３に保存された固定情報を示している。もっとも、カーナビゲーションシステム１０２にインストールするソフト自体に固定情報が記録されており、他の地域の固定情報を利用するときには、データベース１０３には、その地域の固定情報が保存される。
固定情報とは、例えば、店名、連絡先、雰囲気、価格評価、駐車場の有無、味の評価、ＵＲＬやドメイン名等のアドレスに関する情報であり、食事提供サービス地点固有の客観的な情報で、かつ、変更されることが殆どない情報である。
【００２８】
図５は、店舗群側システム２０のデータベース２０２に保存された変動情報を示している。変動情報は、開店中、休憩中、メニュー、メニューの特徴、価格、店舗の込み具合、駐車場の込み具合に関する情報であり、食事提供サービス地点固有の主観的な情報で、季節、曜日、時間帯等が原因となって変更される頻度が高い新鮮な情報である。店舗群側システム２０がサーバとしての機能を有していることから、固定情報内のアドレスから変動情報に容易にアクセスすることができる。
【００２９】
図６は、カーナビゲーションシステムの使用者が、希望する食事提供サービス地点において、希望するメニューを、希望する時刻で予約する場合の操作手順を示すフローチャートである。図６は、車両の現在地周辺で食事提供サービス地点を予約する実施形態を示しているが、車両の目的地周辺や、車両の走行ルート周辺で食事提供サービス地点を予約する場合、検索地域を指定する以外は現在地周辺で食事提供サービス地点を予約する場合と実質的に同じである。
【００３０】
車両での旅行中に食事をしたくなると、使用者は、携帯電話の入力手段を利用してシステムを立ち上げ、例えば日本食や中華料理または洋食といった希望の食事の種類を入力する（ステップＳ１）。カーナビゲーションシステム１０２の制御手段は、ＧＰＳ等の衛星通信２００によって、現在地、すなわち、車両の場所を割り出して特定する（ステップＳ２）。
【００３１】
カーナビゲーションシステム１０２又は携帯電話１０１から食事の種類やドライブスルーでの商品の購入に関しての操作は、サービスの種類が相違するだけなので、以下、日本食を例に説明する。制御手段は、車両の場所を特定した後、データベース１０３に予め登録してある固定情報を選出する。本実施形態では、現在地周辺で予約を行うので、選出の条件は、「現在地周辺」と「日本食レストラン」となる（ステップＳ３）。すると、カーナビゲーションシステム１０２又は携帯電話１０１の表示手段に、現在地周辺の図４に示す如く日本食レストランの一覧が表示される（ステップＳ４）。
【００３２】
使用者は、店名等の固定情報から第一希望のレストランを入力手段から選択すると（ステップＳ５）、第２の制御手段は固定情報の中のアドレスを参照して、携帯電話１０１から店舗群側システム２０のサーバにアクセスする。そして、第２の制御手段は、サーバのデータベース２０２に保存してある変動情報をネットワークを介して受信し、カーナビゲーションシステム１０２又は携帯電話１０１の表示手段に表示する（ステップＳ６）。使用者は、新鮮な変動情報を参照して、固定情報の中から選択した日本食レストランに決定するかを判断する（ステップＳ７）。選択した日本食レストランを希望しない場合は、固定情報から第２希望のレストランを入力手段から選択する（ステップＳ１０１）。この操作は、希望するレストランが見つかるまで繰り返す。
【００３３】
変動情報から選択したレストランを希望する場合には、入力手段からメニューを選択する（ステップＳ８）。図５には示されていないが、変動情報には、開店中、休憩中、メニュー、メニューの特徴、価格、店舗の込み具合、駐車場の込み具合に関する情報が含まれており、さらに、固定情報として表示した所用時間を参照して、来店時刻Ｘを入力手段から指定する（ステップＳ９）。店舗群側システムからは処理装置２０１により、現在の込み具合や客待ち状態から来店時刻Ｘの可否が判定され、予約番号Ｙがインターネット１００を介して送付され、車載システム１０の表示手段には、来店時刻Ｘと予約番号Ｙが表示される（ステップＳ１０）。使用者は、固定情報の所用時間を参照しながら、所定の時刻に予約番号Ｙを持参して、日本食レストランに入店する。予約を入れておくことにより、席に着く時間に合わせて料理が用意されるので、待ち時間なく食事をとることができる。
【００３４】
以上の実施形態では、車両の現在地周辺の食事提供サービス地点を予約することを目的としたが、車両の目的地周辺や車両の走行ルート周辺で食事提供サービス地点の予約を行うこともできる。この場合、食事提供サービス地点の予約時刻までに車両が到着しないことがある。そのため、数十分、数時間後に食事提供サービス地点を予約する場合には、現在時刻に所用時間を加算した時刻と、予約した来店時刻を比較して、第１の制御手段又は第２の制御手段が、車両の到着可否判定を行うようにすることが好ましい。そのため、制御手段は、来店時刻を基準にして到着予定時刻の誤差を表示する。こうすることにより、使用者は確実に食事提供サービス地点を予約することができ、一方、店舗側も確実に客が来店することを確認することができる。
【００３５】
【発明の効果】
以上詳述したように、本発明では、見知らぬ不案内な土地において、現在地又は目的地若しくは走行ルートの途中で、レストラン等の食事提供サービス地点を検索し、希望する食事提供サービスがある場合には、それを予約することができ、時間を有効に使用することができる。また、現在地から希望する食事提供サービス地点までの所用時間を考慮して、それを予約することができ、ゆとりをもって車両を走行させることができ、来店後は待時間なく出来たての料理を口にすることができる。
【図面の簡単な説明】
【図１】  本発明の利用例を示す概略図である。
【図２】  車載側システムの詳細図である。
【図３】  店舗群側システムの詳細図である。
【図４】  カーナビゲーションシステムに保存した固定情報の表である。
【図５】  店舗群側のサーバに保存してある変動情報の表である。
【図６】  本発明の動作のフローチャートである。
【符号の説明】
１０  車載側システム
２０  店舗群側システム
１００  ネットワーク
１０１  携帯電話
１０２  カーナビゲーションシステム
１０３  データベース
２００  衛星通信
２０１  処理装置
２０２  データベース
【図１】
0003726030.tif 000002
【図２】
0003726030.tif 000003
【図３】
0003726030.tif 000004
【図４】
0003726030.tif 000005
【図５】
0003726030.tif 000006
【図６】
0003726030.tif 000007